(57)【要約】【課題】  電源オフからオン後のつなぎ記録開始までの待ち時間を短縮する。【解決手段】  制御部４０により記録信号処理部１０、記録再生部２０及び再生信号処理部３０の動作を制御して、つなぎ記録を行うにあたり、上記第１のメモリ５０に下地で残すべき最終ブロックのデータを格納し、つなぎ記録ができる状態の時に電源がオフされた場合に、上記下地で残すべき最終ブロックのデータを上記第１のメモリ５０から不揮発性の第２のメモリ６０に退避させ、その後、電源がオンされたときに、上記第２のメモリ６０に退避した下地で残すべき最終ブロックのデータを上記メモリ５０に読み戻し、その後、記録が開始された場合、上記第１のメモリ５０から上記下地で残すべき最終ブロックのデータの最後に新たなつなぎ記録データをつなぎ合わせて、記録を開始する。【選択図】        図１
2005182955.tif 000002
【特許請求の範囲】
【請求項１】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する第１の記憶手段と、
上記第１の記憶手段に格納された下地で残すべき最終ブロックのデータを待避させる不揮発性の第２の記憶手段と、
上記第１及び第２の記憶手段に対するデータの書き込み／読み出し制御を行う制御手段とを備え、
上記制御手段は、上記第１の記憶手段に下地で残すべき最終ブロックのデータを格納し、上記下地で残すべき最終ブロックのデータの少なくとも一部を上記第１の記憶手段から第２の記憶手段に書き込む制御を行うことを特徴とする磁気記録再生装置。
【請求項２】
下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、
上記下地で残すべき最終ブロックのデータを格納する第１の記憶手段と、
上記第１の記憶手段に格納された下地で残すべき最終ブロックのデータを待避させる不揮発性の第２の記憶手段と、
上記第１及び第２の記憶手段に対するデータの書き込み／読み出し制御を行う制御手段とを備え、
上記制御手段は、上記第１の記憶手段に下地で残すべき最終ブロックのデータを格納し、つなぎ記録ができる状態の時に電源がオフされた場合に、上記下地で残すべき最終ブロックのデータを上記第１の記憶手段から第２の記憶手段に退避させ、その後、電源がオンされたときに、上記第２の記憶手段に退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする磁気記録再生装置。
【請求項３】
上記制御手段は、上記つなぎ記録ができる状態の時に電源がオフされた場合に、上記第２の記憶手段に下地で残すべき最終ブロックのデータを退避したことを示す情報を上記第２の記憶手段に書き込んでおき、電源がオンされたときに、上記第２の記憶手段に下地で残すべき最終ブロックのデータを退避したことを示す情報に基づいて、上記第２の記憶手段から退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする請求項２記載の磁気記録再生装置。
【発明の詳細な説明】
【技術分野】
【０００１】
本発明は、デジタルデータの磁気記録再生装置に関し、特に、つなぎ記録機能を備える磁気記録再生装置に関する。
【背景技術】
【０００２】
回転ヘッドによってテープ状記録媒体にデジタルデータを記録し、また、記録媒体から回転ヘッドによりこのデジタルデータを再生する民生用のデジタル磁気記録再生装置では、１フレームを複数のトラックに分割して記録するセグメント記録方式が採用されており、１フレームを構成する複数のトラックの情報を全て再生されないと再生画像を出力することができないので、再生された情報をメモリに順次蓄積して１フレーム分の情報が揃った時点で再生画像を出力するようにしている（例えば、特許文献１参照）。
【０００３】
また、画像データや音声データを圧縮して記録媒体に記録するための高能率の圧縮方式として、例えば、ＭＰＥＧ（Moving Picture Expert Group）方式が知られている。
【０００４】
ＭＰＥＧ方式では、データ量を圧縮するにあたって、その映像フレームのデータだけで独立して符号化するフレーム内符号化画像（Ｉピクチャ）、前方向のフレームの情報を元に符号化するフレーム間順方向予測符号化画像（Ｐピクチャ）、前方向と後方向のフレームを元に符号化する双方向予測符号化画像（Ｂピクチャ）という3種類の画像圧縮手法を使って、効率的にデータ量を削減している。
【０００５】
また、民生用のデジタル磁気記録再生装置における再生方式として、再生ヘッドが記録トラックの中心を通るように、記録されたトラックの再生情報を用いてテープ走行方向にトラッキングサーボをかけて、再生ヘッドで１トラックを１スキャンして再生データを得るトラッキング再生方式と、狭トラック対応のために再生時にトラッキングをかけるのではなく、１トラックのデータを２回以上スキャンして、正しいほうのデータをメモリに取っておき、データがそろった時点で、復号することで正しいデータを得るノントラッキング再生方式が知られている。
【０００６】
さらに、コンピュータデータの大容量バックアップ用のデジタルデータストレージ装置として、通常のトラッキング再生動作機能に加えて、トラック曲がり等の不具合トラックの救済のためのノントラッキング再生動作機能を搭載した磁気記録再生装置が提案されている（例えば、特許文献２参照）。
【０００７】
また、デジタル画像データを高能率符号化してテープ記録でつなぎ記録をする際に、下地で残すべき最終ブロックを読み込み、下地の有効データの最終部分に、新たに記録するデータをつなげて、新たなブロックを作り、この新たなブロックをテープに書き戻すことにより、つなぎ部での画フリーズや音途切れを少なくしたり、記録開始部分の画質を低下させないようにすることが行われている（例えば、特許文献３参照）。
【０００８】
例えば、ＭＰＥＧのテープ記録でつなぎ記録をする際に、つなぎ部での画フリーズや音途切れを少なくしたり、記録開始部分の画質を低下させないようにするために、例えば図１６〜図１８に示すように、下地で残すべき最終ブロックを読み込み、下地の有効データの最終部分に、新たに記録するデータをつなげて、新たなブロックを作り、この新たなブロックをテープに書き戻すという方式が考えられている。
【０００９】
ここで、図１６はつなぎ記録前の記録の様子を示している。
【００１０】
図１６では、（Ａ）に示すような順番のフレーム単位の画面ａ０から画面ａ１６のデータが、ＭＰＥＧ方式に従って映像フレームの順序を入れ換えて符号化された（Ｂ）に示すような順番のデータストリーム（Ｉ２，Ｂ０，Ｂ１，・・・，Ｐ１２，Ｐ１３）とされ、さらにリードソロモン符号を採用した内符号（Ｃ１）パリティと外符号（Ｃ２）パリティを付加するエラー訂正符号化処理が施されて、（Ｃ）に示すようにテープ上に記録されている。
【００１１】
図１７は、下地を書き戻さないで次の外符号の符号訂正面から記録するようにしたつなぎ記録の様子を示している。
【００１２】
この図１７に示すつなぎ記録では、（Ａ）に示すような順番のフレーム単位の画面ｂ０から画面ｂ１３のデータが、（Ｂ）に示す下地画面ａ２の次に画面ｂ０からつながれ、ＭＰＥＧ方式に従って映像フレームの順序を入れ換えて符号化された（Ｃ）に示すような順番のデータストリーム（Ｉ２，Ｂ０，Ｂ１，・・・，Ｐ１２，Ｐ１３）とされ、さらにエラー訂正符号化処理が施されて、（Ｄ）に示すようにテープ上に記録されている。
【００１３】
このように下地を書き戻さないで次の外符号の符号訂正面から記録するようにしてつなぎ記録を行う場合には、図１７の（Ｄ）に破線の丸い枠で囲んで示すつなぎ部の直前の下地データが無効データとなり、テープに間隙を生じてしまうことによって、つなぎ部がフリーズし易くなる。通常、前のストリームのエンディングディレイに対し、次のストリームのスタートアップディレイの方が大きくなりがちなので、上記フリーズを防ぐには、つなぎ記録開始部分の符号化量をより制限する必要がある。
【００１４】
図１８は、最後のデータが含まれるエラー訂正ブロックを一度読み込んで、追加記録するデータをつなげて書き戻すようにしたつなぎ記録の様子を示している。
【００１５】
この図１８に示すつなぎ記録では、（Ａ）に示すような順番のフレーム単位の画面ｂ０から画面ｂ１３のデータを（Ｂ）に示す下地画面ａ２の次に画面ｂ０からつなぐ際に、下地データａの最後のデータが含まれるエラー訂正ブロックを一度読み込んで、追加記録データｂをつなぎ、ＭＰＥＧ方式に従って映像フレームの順序を入れ換えて符号化された（Ｃ）に示すような順番のデータストリーム（Ｉ２，Ｂ０，Ｂ１，・・・，Ｐ１２，Ｐ１３）とされ、さらにエラー訂正符号化処理が施されて、（Ｄ）に示すようにテープ上に記録されている。
【００１６】
このように下地データを書き戻すようにしてつなぎ記録を行う場合には、図１８の（Ｄ）に破線の丸い枠で囲んで示す書き戻されたつなぎ部の下地データが無効データとならず、図１７の場合に比べて間隙がないので、フリーズはしにくい。
【００１７】
【特許文献１】特許第３１２５４７９号公報
【特許文献２】特開２００３−２３３９３８号公報
【特許文献３】特開２００１−９４９４０号公報
【発明の開示】
【発明が解決しようとする課題】
【００１８】
しかしながら、上述如き従来の下地データを書き戻すようにしてつなぎ記録を行う方式では、下地読みが完了して、つなぎ記録待機状態であったとしても、そこで磁気記録再生装置の電源をオフされてしまうと下地読みしたデータを忘れてしまうため、その後、電源オンしてつなぎ記録するときには、下地を読み直さなければならず、電源オン後のつなぎ記録までの待ち時間が長くなってしまうという問題があった。
【００１９】
電源オフ経由のつなぎ記録動作は、バッテリー駆動の携帯用のビデオカメラを普通に使ったときによくある動作である。
【００２０】
そこで、本発明の目的は、上述の如き従来の問題点に鑑み、電源オフからオン後のつなぎ記録開始までの待ち時間を短縮した磁気記録再生装置を提供することにある。
【００２１】
本発明の更に他の目的、本発明によって得られる具体的な利点は、以下に説明される実施の形態の説明から一層明らかにされる。
【課題を解決するための手段】
【００２２】
本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する第１の記憶手段と、上記第１の記憶手段に格納された下地で残すべき最終ブロックのデータを待避させる不揮発性の第２の記憶手段と、上記第１及び第２の記憶手段に対するデータの書き込み／読み出し制御を行う制御手段とを備え、上記制御手段は、上記第１の記憶手段に下地で残すべき最終ブロックのデータを格納し、上記下地で残すべき最終ブロックのデータの少なくとも一部を上記第１の記憶手段から第２の記憶手段に書き込む制御を行うことを特徴とする。
【００２３】
また、本発明は、下地で残すべき最終ブロックを読み込み、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する第１の記憶手段と、上記第１の記憶手段に格納された下地で残すべき最終ブロックのデータを待避させる不揮発性の第２の記憶手段と、上記第１及び第２の記憶手段に対するデータの書き込み／読み出し制御を行う制御手段とを備え、上記制御手段は、上記第１の記憶手段に下地で残すべき最終ブロックのデータを格納し、つなぎ記録ができる状態の時に電源がオフされた場合に、上記下地で残すべき最終ブロックのデータを上記第１の記憶手段から第２の記憶手段に退避させ、その後、電源がオンされたときに、上記第２の記憶手段に退避した下地で残すべき最終ブロックのデータを上記第１の記憶手段に読み戻し、その後、記録が開始された場合、上記第１の記憶手段から上記下地で残すべき最終ブロックのデータの最後に新たなつなぎ記録データをつなぎ合わせて、記録を開始することを特徴とする。
【発明の効果】
【００２４】
本発明では、つなぎ記録の時に、下地を読み込み、上書きするデータをその下地データにつなげて記録をするようなデジタルデータの磁気記録再生装置において、第１の記憶手段に下地データの読み込みが済んでいて、つなぎ記録ができるときに、電源がオフされたときには、下地データを第１の記憶手段から不揮発性の第２の記憶手段に退避しておき、次の電源オンの時にデータを下地のデータを復帰することで、電源オンからのつなぎ記録までの待ち時間を短縮することができる。
【発明を実施するための最良の形態】
【００２５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２６】
本発明は、例えば図１に示すような構成の磁気記録再生装置１００に適用される。
【００２７】
この磁気記録再生装置１００は、カメラ一体型のビデオテープレコーダであって、カメラ１及びマイクロホン２が接続された記録信号処理部１０、この記録信号処理部１０から記録信号が供給される記録再生部２０、この記録再生部２０から再生信号が供給される再生信号処理部３０、上記記録信号処理部１０及び記録再生部２０に接続された第１のメモリ５０、上記記録再生部２０に接続された第２のメモリ６０、これらを制御する制御部４０、上記制御部４０に接続された及び操作部７０などからなる。ここで、上記第２のメモリ６０としては、例えば、フラッシュメモリ（EEPROM：Electronically Erasable and Programmable Read Only Memory）等の電源供給を停止してもデータが消失されることのない不揮発性メモリが使用されている。
【００２８】
上記記録信号処理部１０は、上記カメラ１及びマイクロホン２からアナログビデオ信号及びアナログオーディオ信号が供給されるアナログ／デジタル（Ａ／Ｄ）変換器１１，１２、上記Ａ／Ｄ変換器１１，１２の出力が供給される符号化処理部１３，１４、上記符号化処理部１３，１４の出力が供給されるマルチプレクサ（ＭＵＸ）１５、上記ＭＵＸ１５の出力が供給されるエラー訂正（ＥＣＣ）処理部１６、このＥＣＣ処理部１６の出力が供給されるデジタル／アナログ（Ｄ／Ａ）変換器１７、このＤ／Ａ変換器１７の出力が供給される記録増幅器１８などからなる。上記ＭＵＸ１５には、第１のメモリ５０が接続されている。また、上記ＭＵＸ１５の動作は、上記制御部４０により制御されるようになっている。
【００２９】
この記録信号処理部１０において、上記Ａ／Ｄ変換器１１，１２は、上記カメラ１及びマイクロホン２から供給されたアナログビデオ信号及びアナログオーディオ信号をデジタル化する。上記符号化処理部１３，１４は、上記Ａ／Ｄ変換器１１，１２によりデジタル化されたビデオデータ及びオーディオデータをＭＰＥＧ方式に従って符号化する。上記ＭＵＸ１５は、上記符号化処理部１３，１４により符号化された符号化ビデオデータ及び符号化オーディオデータからＭＰＥＧ方式に従ったデータストリームを生成する。
上記ＥＣＣ処理部１６は、上記ＭＵＸ１５により生成されたデータストリームに対して所定のエラー訂正（ＥＣＣ）ブロック単位、例えば８トラック分を１ＥＣＣブロックとしてエラー訂正符号を生成して付加する。上記Ｄ／Ａ変換器１７は、上記ＥＣＣ処理部１６によりエラー訂正符号が付加されたデータストリームをアナログ化して記録信号とする。
そして、上記記録増幅器１８は、上記Ｄ／Ａ変換器１７によりアナログ化された記録信号を増幅して記録再生部２０に供給する。
【００３０】
また、上記記録再生部２０は、アジマスの異なる一対の磁気ヘッド２１Ａ，２１Ｂが１８０°対向で設けられた回転ドラム２２、この回転ドラム２２を回転させるドラムモータ２３、上記回転ドラム２２に巻装される磁気テープ２４を走行させるキャプスタンモータ２５などからなる。
【００３１】
上記ドラムモータ２３及びキャプスタンモータ２５は、上記制御部４０により回転方向や回転速度が制御される。
【００３２】
そして、上記一対の磁気ヘッド２１Ａ，２１Ｂは、磁気テープ２４上の傾斜トラックを走査して、上記記録信号処理部１０から供給される記録信号を上記記録トラックに記録する。また、上記一対の磁気ヘッド２１Ａ，２１Ｂは、磁気テープ２４上の傾斜トラックを走査することにより得られる再生信号を上記再生信号処理部３０に供給する。
【００３３】
上記再生信号処理部３０は、上記記録再生部２０から再生信号が供給される再生増幅器３１、この再生増幅器３１の出力が供給されるアナログ／デジタル（Ａ／Ｄ）変換器３２、このＡ／Ｄ変換器３２の出力が供給されるエラー訂正（ＥＣＣ）処理部３３、このＥＣＣ処理部３３の出力が供給されるデマルチプレクサ（ＤＥＭＵＸ）３４、このＤＥＭＵＸ３４の出力が供給される復号化処理部３５，３６、この復号化処理部３５，３６の出力が供給されるデジタル／アナログ（Ｄ／Ａ）変換器３７，３８などからなる。上記ＤＥＭＵＸ３４には、上記第１のメモリ５０及び第２のメモリ６０が接続されている。また、上記ＥＣＣ処理部３３及びＤＥＭＵＸ３４の動作は、上記制御部４０により制御されるようになっている。
【００３４】
この再生信号処理部３０において、上記再生増幅器３１は、上記記録再生部２０から供給された再生信号を増幅する。上記Ａ／Ｄ変換器３２は、上記再生増幅器３１により増幅された再生信号をデジタル化して再生データストリームとする。上記ＥＣＣ処理部３３は、上記Ａ／Ｄ変換器３２から供給される再生データストリームにエラー訂正処理を施し、エラー情報やトラック番号情報などを上記制御部４０に供給するとともに、エラー訂正処理済みの再生データストリームを上記ＤＥＭＵＸ３４に供給する。上記ＤＥＭＵＸ３４は、上記ＥＣＣ処理部３３によりエラー訂正処理の施された再生データストリームから再生符号化ビデオデータと再生符号化オーディオデータを分離して復号化処理部３５，３６に供給する。また、上記ＤＥＭＵＸ３４は、つなぎ記録時に、制御部４０により制御されて、上記ＥＣＣ処理部３３によりエラー訂正処理の施された再生データストリームから書き戻しデータを分離して上記第１のメモリ５０に供給する。上記復号化処理部３５，３６は、上記ＤＥＭＵＸ３４により分離された再生符号化ビデオデータと再生符号化オーディオデータにＭＰＥＧ方式に従って復号処理を施すことにより再生ビデオデータと再生オーディオデータを生成する。そして、上記Ｄ／Ａ変換器３７，３８は、上記復号化処理部３５，３６により復号された上記再生ビデオデータと再生オーディオデータをアナログ化して、再生アナログビデオ信号と再生アナログオーディオ信号を出力する。
【００３５】
このような構成の磁気記録再生装置１００において、上記制御部４０は、記録終了時に、記録再生部２０により磁気テープ２４に書き込んだ下地の最後の部分のデータを記録信号処理部１０のＭＵＸ１５を経由して第１のメモリ５０に保存し、あるいは、記録再生部２０により磁気テープ２４から再生して得られた下地最終ブロックのデータを再生信号処理部３０のＤＥＭＵＸ３４を経由して第１のメモリ５０に保存しておく。
【００３６】
そして、上記制御部４０は、操作部６０に操作によりつなぎ記録動作が指定されると、上記第１のメモリ５０に保存されている下地の最後のブロックの最後の有効データにつなげて、新しい記録を行う。下地の最後のブロックの最後の有効データは、書き戻される。
【００３７】
また、この磁気記録再生装置１００において、上記制御部４０は、上記第１のメモリ５０に下地で残すべき最終ブロックのデータを格納し、つなぎ記録ができる状態の時に電源がオフされた場合に、上記下地で残すべき最終ブロックのデータを上記第１のメモリ５０から不揮発性の第２のメモリ６０に退避させ、その後、電源がオンされたときに、上記第不揮発性の第２のメモリ６０に退避した下地で残すべき最終ブロックのデータを上記第１のメモリ５０に読み戻し、その後、記録が開始された場合、上記第１のメモリ５０から上記下地で残すべき最終ブロックのデータの最後に新たなつなぎ記録データをつなぎ合わせて、記録を開始する制御を行う。
【００３８】
ここで、この磁気記録再生装置１００は、停止（ＳＴＯＰ）モード、記録待機（ＲＥＣＰ）モード、記録（ＲＥＣ）モード、再生（ＰＢ）モード、再生待機（ＰＢＰ）モードの５種類の動作モードをとり、図２に示すように各モード間で動作モードを遷移する。
【００３９】
この磁気記録再生装置１００のようにカメラ一体型のビデオテープレコーダでは、撮影開始時に電源をオンした後、ＲＥＣＰモードとＲＥＣモードを繰り返し、しばらく撮るものがないと電源をオフし、その後また撮りたくなったら電源をオンしてＲＥＣモードとするという使い方が一般的であり、電源ＯＦＦ経由のつなぎ記録が行われている。
【００４０】
この磁気記録再生装置１００において、制御部４０は、つなぎ記録時に、ＲＥＣＰモードになる前の動作モードが、ＲＥＣモードであった場合には前の記録の最後の画をつなげる画としてつなぎ記録を開始し、また、ＳＴＯＰモードであった場合には下地の適当な位置の画をつなげる画としてつなぎ記録を開始し、さらに、ＰＢＰモードであった場合にはＰＢＰモードで出ていた画をつなげる画としてつなぎ記録を開始する。
【００４１】
上記つなげる画として記録の最後の画を第１のメモリ５０に保存する方式には、次の３つの方式がある。
【００４２】
すなわち、第１の方式では、磁気テープ２４を１倍速で順方向に走行させて、つなげる画として用いる記録の最後の画である下地最終ブロックのデータを再生信号処理部３０のＤＥＭＵＸ３４を経由して第１のメモリ５０に保存する。
【００４３】
さらに、第２の方式では、磁気テープ２４を１／２倍速で順方向走行又は逆方向走行させて、倍密度スキャンによるノントラッキング方式でつなげる画として用いる記録の最後の画である下地最終ブロックのデータを再生して再生信号処理部３０のＤＥＭＵＸ３４を経由して第１のメモリ５０に保存する。
【００４４】
また、第３の方式では、ＲＥＣモードにおいて、つなげる画として用いる記録の最後の画である下地最終ブロックのデータを記録信号処理部１０のＭＵＸ３４を経由して第１のメモリ５０に保存する。
【００４５】
ここで、この磁気記録再生装置１００における電源オフ（Ｐｏｗｅｒ  Ｏｆｆ）を経由しない通常のつなぎ記録でのデータの流れを図３に示す。
【００４６】
すなわち、電源オフ（Ｐｏｗｅｒ  Ｏｆｆ）を経由しない通常のつなぎ記録では、先ず、記録再生部２０において磁気テープ２４から下地データを通常の１倍速再生又は倍密度スキャン再生により再生し、再生信号処理部３０において、下地データで書き戻す最終ブロックのエラー訂正後のデータを得て、ＤＥＭＵＸ３４を経由して第１のメモリ５０に保存する。次に、図４の（Ａ）に示すように、最終ブロック内での下地データで書き戻すデータの最後の部分を見つけておく。そして、図４の（Ｂ）に示すように、上記最終ブロック内の有意な最終データ以降に、つなぎ記録する新しいデータをつなげて書き込み、記録信号処理部１０において、ＥＣＣブロック分のデータが揃った時点でエラー訂正符号を付加して記録信号として、記録再生部２０により磁気テープ２４上の上記下地の最終ブロックに書き戻すことにより、上記下地の最終ブロックからつなぎ記録を開始する。その後は通常の記録動作を行う。
【００４７】
以下、上記電源オフ（Ｐｏｗｅｒ  Ｏｆｆ）を経由しない通常のつなぎ記録の具体的な動作について説明する。
【００４８】
先ず、図５を参照して、第１の記録（ＲＥＣ１）・記録待機（ＲＥＣＰ）・第２の記録（ＲＥＣ２）の順に上記磁気記録再生装置１００の動作モードを遷移させて、つなぎ記録を行う場合について説明する。
【００４９】
ＲＥＣＰモードになる前の動作モードがＲＥＣモードであった場合には、上述の如く前の記録の最後の画をつなげる画としてつなぎ記録を開始するのであるが、上記記録の最後の画のデータを第１のメモリ５０に保存するには、上述の第１乃至第３の方式のいずれかの方式を採用することができる。
【００５０】
すなわち、第１の方式を採用する場合には、図５の（Ａ）に示すように、その下地の最終ブロックのデータを磁気テープ２４に記録した後にＲＥＣＰの指示を受け付けると、図５の（Ｂ）に示すように、磁気テープ２４を３倍速で巻き戻してから、１倍速で順方向に走行させて、つなげる画として用いる記録の最後の画である下地最終ブロックのデータを再生信号処理部３０のＤＥＭＵＸ３４を経由して第１のメモリ５０に保存し、その後、磁気テープ２４を３倍速で所定長だけ巻き戻したのち、記録待機（ＲＥＣＰ）状態での待機点まで順方向走行させて、ＲＥＣＰ状態とする。
【００５１】
そして、このＲＥＣＰ状態でＲＥＣ２開始が指示されると、図５の（Ｃ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００５２】
また、第２の方式を採用する場合には、図５の（Ａ）に示すように、その下地の最終ブロックのデータを磁気テープ２４に記録した後にＲＥＣＰの指示を受け付けると、図５の（Ｄ）に示すように、磁気テープ２４を１／２倍速で巻き戻して倍密度スキャンによるノントラッキング方式でつなげる画として用いる記録の最後の画である下地最終ブロックのデータを再生して再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする。
【００５３】
そして、このＲＥＣＰ状態でＲＥＣ２開始が指示されると、図５の（Ｅ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００５４】
さらに、第３の方式を採用する場合には、ＲＥＣ１において、つなげる画として用いる記録の最後の画である下地最終ブロックのデータを記録信号処理部１０のＭＵＸ３４を経由して第１のメモリ５０に保存しておき、その下地の最終ブロックのデータを磁気テープ２４に記録した後にＲＥＣＰの指示を受け付けると、図５の（Ｆ）に示すように、磁気テープ２４を３倍速で所定長だけ巻き戻したのち、記録待機（ＲＥＣＰ）状態での待機点まで順方向走行させて、ＲＥＣＰ状態とする。
【００５５】
そして、このＲＥＣＰ状態でＲＥＣ２開始が指示されると、図５の（Ｇ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００５６】
ここで、上記第２の方式又は第３の方式を採用した場合には、上記第１の方式を採用した場合よりも待ち時間を短くすることができる。
【００５７】
次に、図６を参照して、ＳＴＯＰ・ＲＥＣＰ・ＲＥＣの順に上記磁気記録再生装置１００の動作モードを遷移させて、つなぎ記録を行う場合について説明する。
【００５８】
ＲＥＣＰモードになる前の動作モードがＲＥＣモードであった場合には、上述の如く前の記録の最後の画をつなげる画としてつなぎ記録を開始するのであるが、上記記録の最後の画を第１のメモリ５０に保存する方式には、上述の第１乃至第３の方式を採用することができる。
【００５９】
ＲＥＣＰモードになる前の動作モードがＳＴＯＰモードであった場合には、上述の如く下地の適当な位置の画をつなげる画としてつなぎ記録を開始するのであるが、上記記録の最後の画を第１のメモリ５０に保存する方式には、上述の第１方式又は第２の方式を採用することができる。
【００６０】
すなわち、第１の方式を採用する場合には、図６の（Ａ）に示すように、ＳＴＯＰ状態においてＲＥＣＰの指示を受け付けることにより、図６の（Ｂ）に示すように、磁気テープ２４を１倍速で順方向に走行させて、つなげる画として用いる記録の最後の画である下地最終ブロックのデータを再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする。
【００６１】
そして、このＲＥＣＰ状態でＲＥＣ開始が指示されると、図６の（Ｃ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００６２】
また、第２の方式を採用する場合には、図６の（Ａ）に示すように、ＳＴＯＰ状態においてＲＥＣＰの指示を受け付けることにより、図６の（Ｄ）に示すように、磁気テープ２４を１倍速で順方向に走行させた後１／２倍速で倍密度スキャンによるノントラッキング方式でつなげる画として用いる記録の最後の画である下地最終ブロックのデータを再生して再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする。
【００６３】
そして、この記録待機（ＲＥＣＰ）状態で第２の記録（ＲＥＣ）の開始が指示されると、図６の（Ｅ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００６４】
この場合の待ち時間は、上記第１の方式と第２の方式であまり変わらない。
【００６５】
さらに、図７を参照して、ＰＢＰ・ＲＥＣＰ・ＲＥＣの順に上記磁気記録再生装置１００の動作を遷移させて、つなぎ記録を行う場合について説明する。
【００６６】
ここで、ＰＢＰ状態での停止点では、再生待機画に対応する下地データは、最終ブロック保存用の第１のメモリ５０は残っていないものとし、ＲＥＣＰモードになる前の動作モードがＰＢＰモードであった場合には、上述の如くＰＢＰモードで出ていた画をつなげる画として第１のメモリ５０に保存するのであるが、上記ＰＢＰモードで出ていた画を記録の最後の画すなわちつなげる画として第１のメモリ５０に保存する方式には、上述の第１方式又は第２の方式を採用することができる。
【００６７】
すなわち、第１の方式を採用する場合には、図７の（Ａ）に示すように、ＰＢＰ状態においてＲＥＣＰの指示を受け付けると、図７の（Ｂ）に示すように、先ず磁気テープ２４を３倍速で逆方向に走行させて巻き戻しを行い、次に、１倍速で順方向に走行させて、つなげる画として用いる記録の最後の画である下地最終ブロックのデータを再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする。
【００６８】
そして、このＲＥＣＰ状態でＲＥＣ開始が指示されると、図７の（Ｃ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００６９】
また、第２の方式を採用する場合には、図７の（Ａ）に示すように、ＰＢＰ状態においてＲＥＣＰの指示を受け付けると、図７の（Ｄ）に示すように、先ず磁気テープ２４を３倍速で逆方向に走行させて巻き戻しを行い、この巻き戻しの途中で、１／２倍速で倍密度スキャンによるノントラッキング方式でつなげる画として用いる記録の最後の画である下地最終ブロックのデータを再生して再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする。
【００７０】
そして、このＲＥＣＰ状態でＲＥＣ開始が指示されると、図７の（Ｅ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００７１】
この場合の待ち時間は、上記第２の方式の方が第１の方式よりも短い。
【００７２】
次に、この磁気記録再生装置１００における電源オフ（Ｐｏｗｅｒ  Ｏｆｆ）を経由したつなぎ記録の動作について説明する。
【００７３】
図８は、この磁気記録再生装置１００における電源オフ（Ｐｏｗｅｒ  Ｏｆｆ）を経由したつなぎ記録でのデータの流れを示している。
【００７４】
この磁気記録再生装置１００において、制御部４０は、電源オフ（Ｐｏｗｅｒ  Ｏｆｆ）時には、図９のフローチャートに示す手順に従って、上記第１のメモリ５０に格納されているつなげる画として用いる記録の最後の画である下地最終ブロックのデータを上記第１のメモリ５０から読み出して、再生信号処理部３０のＤＥＭＵＸ３４を経由して第２のメモリ６０に退避させる。
【００７５】
すなわち、制御部４０は、電源オフ（Ｐｏｗｅｒ  Ｏｆｆ）要求を受け付けると（ステップＳ１）、上記下地で残すべき最終ブロックのデータを取得して上記第１のメモリ５０に格納済みで、書き戻しによるつなぎ記録が可能な状態にあるか否かを判定し（ステップＳ２）、その判定結果がＹＥＳすなわち書き戻しによるつなぎ記録が可能な状態にある場合には、上記第１のメモリ５０に格納されているつなげる画として用いる記録の最後の画である下地最終ブロックのデータを上記第１のメモリ５０から読み出して、再生信号処理部３０のＤＥＭＵＸ３４を経由して第２のメモリ６０に退避させる（ステップＳ３）。そして、書き戻しによるつなぎ記録が可能な状態にあることを示す情報を不揮発性の第２のメモリ６０に書き込でから（ステップＳ４）、この磁気記録再生装置１００の電源オフ（Ｐｏｗｅｒ  Ｏｆｆ）を実行する（ステップＳ６）。
【００７６】
また、上記ステップＳ２における判定結果がＮＯすなわち書き戻しによるつなぎ記録ができない状態にある場合には、書き戻しによるつなぎ記録が可能な状態にないことを示す情報を不揮発性の第２のメモリ６０に書き込んでから（ステップＳ５）、この磁気記録再生装置１００の電源オフ（Ｐｏｗｅｒ  Ｏｆｆ）を実行する（ステップＳ６）。
【００７７】
また、この磁気記録再生装置１００において、電源オン（Ｐｏｗｅｒ  Ｏｎ）時には、図１０のフローチャートに示す手順に従って、不揮発性の第２のメモリ６０に退避されているつなげる画として用いる記録の最後の画である下地最終ブロックのデータを不揮発性の第２のメモリ６０から読み出して、再生信号処理部３０のＤＥＭＵＸ３４を経由して上記第１のメモリ５０に書き戻す。
【００７８】
すなわち、この磁気記録再生装置１００における制御部４０は、電源オン（Ｐｏｗｅｒ  Ｏｎ）要求を受け付けると（ステップＳ１１）、先ず電源オン（Ｐｏｗｅｒ  Ｏｎ）を実行し、次に、不揮発性の第２のメモリ６０に書き込まれている情報に基づいて、書き戻しによるつなぎ記録が可能な状態にあるか否かの判定を行い（ステップＳ１２）、その判定結果がＹＥＳすなわち書き戻しによるつなぎ記録が可能な状態にある場合には、不揮発性の第２のメモリ６０に退避されているつなげる画として用いる記録の最後の画である下地最終ブロックのデータを不揮発性の第２のメモリ６０から読み出して、再生信号処理部３０のＤＥＭＵＸ３４を経由して上記第１のメモリ５０に書き戻し（ステップＳ１３）、記録待機（ＲＥＣＰ）状態への遷移要求があれば記録待機（ＲＥＣＰ）へ遷移する（ステップＳ１５）。
【００７９】
また、上記ステップＳ１２における判定結果がＮＯすなわち書き戻しによるつなぎ記録が可能な状態にない場合には、記録待機（ＲＥＣＰ）状態への遷移要求があれば記録待機（ＲＥＣＰ）へ遷移する（ステップＳ１５）。
【００８０】
その後、必要に応じて、書き戻しによるつなぎ記録が可能な状態にないことを示す情報を不揮発性の第２のメモリ６０に書き込む（ステップＳ１６）。
【００８１】
さらに、上記磁気記録再生装置において、記録待機（ＲＥＣＰ）・停止（ＳＴＯＰ）・電源オフ（Ｐｏｗｅｒ  Ｏｆｆ）・電源オン（Ｐｏｗｅｒ  Ｏｎ）・停止（ＳＴＯＰ）・記録待機（ＲＥＣＰ）・記録（ＲＥＣ）の順に遷移させてつなぎ記録を行う場合、すなわち、上記ＲＥＣＰ状態で電源をオフした後、再度電源をオンしてつなぎ記録を行う場合の具体的な動作について、図１１を参照して説明する。
【００８２】
この場合、図１１の（Ａ）に示すように、このＲＥＣＰ状態でＳＴＯＰの指示を受け付けると、図１１の（Ｂ）に示すように、磁気テープ２４を所定量だけ巻き戻してＳＴＯＰ状態となり、このＳＴＯＰ状態で電源がオフ（Ｐｏｗｅｒ  Ｏｆｆ）の指示を受け付けると、第１のメモリ５０に格納されているつなげる画として用いる記録の最後の画である下地最終ブロックのデータを上記第１のメモリ５０から読み出して、再生信号処理部３０のＤＥＭＵＸ３４を経由して第２のメモリ６０に退避させてから、電源オフ（Ｐｏｗｅｒ  Ｏｆｆ）状態となる。そして、再度電源がオン（Ｐｏｗｅｒ  Ｏｎ）されると、上記第２のメモリ６０に退避されていたつなげる画として用いる記録の最後の画である下地最終ブロックのデータを上記再生信号処理部３０のＤＥＭＵＸ３４を経由して上記第１のメモリ５０に書き戻してＳＴＯＰ状態となり、さらに、磁気テープ２４を１倍速で順方向に所定量だけ走行させたＲＥＣＰで待機点でＲＥＣＰ状態とする。そして、このＲＥＣＰ状態でＲＥＣ開始が指示されると、図１１の（Ｃ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００８３】
なお、従来の方法では、図１１の（Ａ）に示すように、このＲＥＣＰ状態でＳＴＯＰの指示を受け付けると、図１１の（Ｄ）に示すように、磁気テープ２４を所定量だけ巻き戻してＳＴＯＰ状態となり、このＳＴＯＰ状態でそのまま電源がオフ（Ｐｏｗｅｒ  Ｏｆｆ）されて、再度電源がオン（Ｐｏｗｅｒ  Ｏｎ）されてＳＴＯＰ状態に戻されていた。電源オフを経由することによって、上記第１のメモリ５０に格納されている下地データは消失しまうので、１倍速で順方向に走行させて、つなげる画として用いる記録の最後の画である下地最終ブロックのデータを再生信号処理部３０のＤＥＭＵＸ３４を経由して第１のメモリ５０に保存し、その後、磁気テープ２４を３倍速で所定長だけ巻き戻したのち、ＲＥＣＰ状態での待機点まで順方向走行させて、ＲＥＣＰ状態とする必要があり、その分だけ時間を要していた。そして、このＲＥＣＰ状態でＲＥＣ開始が指示されると、図１１の（Ｅ）に示すように、磁気テープ２４を１倍速で順方向走行させて、実際につなぎ記録を開始するまでの再生助走期間中に、下地にトラッキングを合わせて、上記第１のメモリ５０から下地の最終ブロックのデータを読み出して、上記下地の最終ブロックに書き戻すことにより、上記下地の最終ブロックからつなぎ記録を開始する。
【００８４】
なお、書き戻しによるつなぎ記録を行う場合、下地データを読み込み済みであっても、その後、例えばＰＢやＦＦ／ＲＥＷなどにてテープ位置がずれてしまった場合には、再度下地テータを読み込む必要がある。
【００８５】
また、下地データの読み込みは必要なのは、最終ブロックのみに限られず、例えば、図１２に示すように、記録終了時に有効データと無効データ（ｎｕｌｌ）で構成される１ブロックの次に、１ブロック全部無効データ（ｎｕｌｌ）の記録をするようにしていた場合は、つなぎ記録時は最終ブロックの１つ手前のブロックを読み込む必要があります。もしくは最終ブロックを含む、最後の２ブロックであってもよい。
【００８６】
以上のように、この磁気記録再生装置１００では、つなぎ記録が可能な記録待機（ＲＥＣＰ）状態から電源をオフされた場合に、メモリ４０に格納されていた書き戻しに用いるデータを不揮発性の第２のメモリ６０にデータを退避することで、次の電源オン後のつなぎ記録開始までの時間を大幅に短縮できる。
【００８７】
ちなみに、ここで言う電源オン、電源オフとは、電源スイッチによる電源オン、電源オフであり、このスイッチに従い、機器内部の電源を制御してオンオフすることである。実際に機器に付いているメインバッテリーを取り外すことではない。
【００８８】
なお、上記書き戻しに用いるデータを退避するための第２のメモリ６０としては、電源供給を停止してもデータが消失されることのないフラッシュメモリ（EEPROM：Electronically Erasable and Programmable Read Only Memory）が使用されているが、高価なフラッシュメモリを用いずに、例えば、図１３に示すように、コインリチウム電池６１などを用いたサブバッテリーにより常に電源が給電されているようにしたメモリ６０Ａを用いたり、あるいは、図１４に示すように、この磁気記録再生装置１００を構成する各回路ブロック１００Ａに電源を供給するメインバッテリー６２が取り外されないことを条件として、上記メインバッテリー６２から常に電源が給電されているようにしたメモリ６０Ｂを用いるようにしてもよい。
【００８９】
さらに、図１５に示すように、この磁気記録再生装置１００の制御部４０を構成するマイクロコンピュータのプログラム格納用の不揮発性メモリ（フラッシュメモリ）４０Ａの空き領域を上記第２のメモリ６０として使用するようにしても良い。
さらに、フラッシュメモリの動作速度が上がり、価格も十分にさがれば、図１のメモリ５０自体を不揮発性メモリにすることで、図１の不揮発性メモリ６０が不要となり、下地データの退避および復帰を行わないでも電源オフ経由の素早いつなぎ記録が実現できる。
【図面の簡単な説明】
【００９０】
【図１】本発明を適用した磁気記録再生装置の構成を示すブロック図である。
【図２】上記磁気記録再生装置の動作のモード遷移を模式的に示す図である。
【図３】上記磁気記録再生装置におけるつなぎ記録時の記録データの流れを模式的に示す図である。
【図４】上記つなぎ記録時の記録データの処理内容を模式的に示す図である。
【図５】上記磁気記録再生装置において、第１の記録（ＲＥＣ１）・記録待機（ＲＥＣＰ）・第２の記録（ＲＥＣ２）の順に遷移させて行うつなぎ記録の様子を模式的に示す図である。
【図６】上記磁気記録再生装置において、停止（ＳＴＯＰ）・記録待機（ＲＥＣＰ）・記録（ＲＥＣ）の順に遷移させて行うつなぎ記録の様子を模式的に示す図である。
【図７】上記磁気記録再生装置において、再生待機（ＰＢＰ）・記録待機（ＲＥＣＰ）・記録（ＲＥＣ）の順に遷移させて行うつなぎ記録の様子を模式的に示す図である。
【図８】上記の磁気記録再生装置における電源オフ（Ｐｏｗｅｒ  Ｏｆｆ）を経由したつなぎ記録でのデータの流れを模式的に示す図である。
【図９】上記磁気記録再生装置において、制御部により実行される電源オフ（Ｐｏｗｅｒ  Ｏｆｆ）時の処理手順を示すフローチャートである。
【図１０】上記磁気記録再生装置において、制御部により実行される電源オン（Ｐｏｗｅｒ  Ｏｎ）時の処理手順を示すフローチャートである。
【図１１】上記磁気記録再生装置において、記録待機（ＲＥＣＰ）・停止（ＳＴＯＰ）・電源オフ（Ｐｏｗｅｒ  Ｏｆｆ）・電源オン（Ｐｏｗｅｒ  Ｏｎ）・停止（ＳＴＯＰ）・記録待機（ＲＥＣＰ）・記録（ＲＥＣ）の順に遷移させて行うつなぎ記録の様子を模式的に示す図である。
【図１２】下地データの読み込みの他の例を模式的に示す図である。
【図１３】上記磁気記録再生装置における第２のメモリとして用いられる不揮発性の記憶手段の他の例を示すブロック図である。
【図１４】上記磁気記録再生装置における第２のメモリとして用いられる不揮発性の記憶手段の他の例を示すブロック図である。
【図１５】上記磁気記録再生装置における第２のメモリとして用いられる不揮発性の記憶手段の他の例を示すブロック図である。
【図１６】ＭＰＥＧ方式のテープ記録でのつなぎ記録をする際のつなぎ記録前の記録の様子を模式的に示す図である。
【図１７】下地を書き戻さないで次の外符号の符号訂正面から記録するようにしたつなぎ記録の様子を模式的に示す図である。
【図１８】最後のデータが含まれるエラー訂正ブロックを一度読み込んで、追加記録するデータをつなげて書き戻すようにしたつなぎ記録の様子を模式的に示す図である。
【符号の説明】
【００９１】
１  カメラ、２  マイクロホン、１０  記録信号処理部、１１，１２  Ａ／Ｄ変換器、１３，１４  符号化処理部、１５  ＭＵＸ、１６  ＥＣＣ処理部、１７  Ｄ／Ａ変換器、１８  記録増幅器、２０  記録再生部、２１Ａ，２１Ｂ  ２２  回転ドラム、２３  ドラムモータ、２４  磁気テープ、２５  キャプスタンモータ、３０  再生信号処理部、３１  再生増幅器、３２  Ａ／Ｄ変換器、３３  ＥＣＣ処理部、３４  ＤＥＭＵＸ、３５，３６  復号化処理部、３７，３８  Ｄ／Ａ変換器、４０  制御部、５０  第１のメモリ、６０，６０Ａ，６０Ｂ  第２のメモリ、６１  サブバッテリー、６２  メインバッテリー、電源７０  操作部、１００  磁気記録再生装置
【図１】
2005182955.tif 000003
【図２】
2005182955.tif 000004
【図３】
2005182955.tif 000005
【図４】
2005182955.tif 000006
【図５】
2005182955.tif 000007
【図６】
2005182955.tif 000008
【図７】
2005182955.tif 000009
【図８】
2005182955.tif 000010
【図９】
2005182955.tif 000011
【図１０】
2005182955.tif 000012
【図１１】
2005182955.tif 000013
【図１２】
2005182955.tif 000014
【図１３】
2005182955.tif 000015
【図１４】
2005182955.tif 000016
【図１５】
2005182955.tif 000017
【図１６】
2005182955.tif 000018
【図１７】
2005182955.tif 000019
【図１８】
2005182955.tif 000020